(57)【特許請求の範囲】
【請求項１】
整備対象の全体に関する特徴の情報である全体特徴情報と、当該整備対象の整備に関する情報である全体整備情報とを有する全体情報が１以上記憶される全体情報記憶部と、
整備対象の部分を特定する部分特定情報と、当該整備対象の部分の整備に関する情報である部分整備情報とを有する部分情報が１以上の記憶される部分情報記憶部と、
撮影の指示を受け付ける受付部と、
前記受付部が受け付けた撮影の指示に応じて撮影を行い、撮影画像を取得する撮影部と、
前記撮影部が取得した撮影画像と適合する全体特徴情報、または、前記撮影部が取得した撮影画像と適合する部分特定情報を特定する特定部と、
前記特定部が全体特徴情報を特定した場合には、当該全体特徴情報に対応する全体整備情報を、前記撮影部が取得した撮影画像における当該全体特徴情報に適合する部分に対応付けて表示し、前記特定部が部分特定情報を特定した場合には、当該部分特定情報に対応する部分整備情報を、前記撮影部が取得した撮影画像における当該部分特定情報で特定される部分に対応付けて表示する表示部と、を備えた整備情報表示装置。
【請求項２】
前記全体特徴情報は、整備対象の全体の画像である、請求項１記載の整備情報表示装置。
【請求項３】
前記部分特定情報は、整備対象の部分に関する特徴の情報である、請求項１または請求項２記載の整備情報表示装置。
【請求項４】
前記部分特定情報は、整備対象の部分の画像である、請求項３記載の整備情報表示装置。
【請求項５】
整備対象の全体に関する特徴の情報である全体特徴情報と、当該整備対象の整備に関する情報である全体整備情報とを有する全体情報が１以上記憶される全体情報記憶部と、
整備対象の部分を特定する部分特定情報と、当該整備対象の部分の整備に関する情報である部分整備情報とを有する部分情報が１以上の記憶される部分情報記憶部と、
撮影の指示を受け付ける受付部と、
前記受付部が受け付けた撮影の指示に応じて撮影を行い、撮影画像を取得する撮影部と、
前記撮影部が取得した撮影画像と適合する全体特徴情報、または、前記撮影部が取得した撮影画像と適合する部分特定情報を特定する特定部と、
前記特定部が全体特徴情報を特定した場合には、当該全体特徴情報に対応する全体整備情報を表示し、前記特定部が部分特定情報を特定した場合には、当該部分特定情報に対応する部分整備情報を表示する表示部と、
同じ整備対象に対応する、全体情報と部分情報とを対応付ける情報である親子関係情報が記憶される親子関係情報記憶部と、を備え、
前記特定部は、撮影画像と適合する全体特徴情報を特定した後に部分特定情報の特定を行う場合に、当該全体特徴情報を含む全体情報に、前記親子関係情報によって対応付けられる部分情報を用いて部分特定情報を特定する、整備情報表示装置。
【請求項６】
整備対象の全体に関する特徴の情報である全体特徴情報と、当該整備対象の整備に関する情報である全体整備情報とを有する全体情報が１以上記憶される全体情報記憶部と、
整備対象の部分を特定する部分特定情報と、当該整備対象の部分の整備に関する情報である部分整備情報とを有する部分情報が１以上の記憶される部分情報記憶部と、
撮影の指示を受け付ける受付部と、
前記受付部が受け付けた撮影の指示に応じて撮影を行い、撮影画像を取得する撮影部と、
前記撮影部が取得した撮影画像と適合する全体特徴情報、または、前記撮影部が取得した撮影画像と適合する部分特定情報を特定する特定部と、
前記特定部が全体特徴情報を特定した場合には、当該全体特徴情報に対応する全体整備情報を表示し、前記特定部が部分特定情報を特定した場合には、当該部分特定情報に対応する部分整備情報を表示する表示部と、を備え、
前記受付部は、拡大・縮小の指示も受け付けるものであり、
前記表示部は、前記撮影部が撮影した撮影画像を表示するものであり、
前記表示部が表示する撮影画像は、前記受付部が受け付けた拡大・縮小の指示に応じてズームイン・ズームアウトが行われ、
前記部分特定情報は、当該部分特定情報によって特定される整備対象の部分を含む整備対象の全体における一部の領域を示す情報であり、
前記特定部は、撮影画像と適合する全体特徴情報を特定した後に、当該全体特徴情報に適合する部分の一部にズームインされた場合に、当該全体特徴情報に対応する整備対象の全体における一部の領域を示す部分特定情報であって、当該ズームインされた領域を示す部分特定情報を特定する、整備情報表示装置。
【請求項７】
前記全体整備情報は、整備の手順に関する情報である、請求項１から請求項６のいずれか記載の整備情報表示装置。
【請求項８】
前記受付部は、整備対象に対する整備の終了をも受け付けるものであり、
整備対象を識別する整備対象識別情報と、当該整備対象から次の整備対象までのルートを示すルート情報とを有する整備ルート情報が１以上記憶される整備ルート情報記憶部をさらに備え、
前記表示部は、前記受付部が整備の終了を受け付けた場合に、整備の終了した整備対象を識別する整備対象識別情報に対応するルート情報に関する表示をも行う、請求項１から請求項７のいずれか記載の整備情報表示装置。
【請求項９】
整備対象の全体に関する特徴の情報である全体特徴情報と、当該整備対象の整備に関する情報である全体整備情報とを有する全体情報が１以上記憶される全体情報記憶部と、整備対象の部分を特定する部分特定情報と、当該整備対象の部分の整備に関する情報である部分整備情報とを有する部分情報が１以上の記憶される部分情報記憶部と、受付部と、撮影部と、特定部と、表示部とを用いて処理される整備情報表示方法であって、
前記受付部が、撮影の指示を受け付ける受付ステップと、
前記撮影部が、前記受付ステップで受け付けた撮影の指示に応じて撮影を行い、撮影画像を取得する撮影ステップと、
前記特定部が、前記撮影ステップで取得した撮影画像と適合する全体特徴情報、または、前記撮影ステップで取得した撮影画像と適合する部分特定情報を特定する特定ステップと、
前記表示部が、前記特定ステップで全体特徴情報を特定した場合には、当該全体特徴情報に対応する全体整備情報を、前記撮影ステップで取得した撮影画像における当該全体特徴情報に適合する部分に対応付けて表示し、前記特定ステップで部分特定情報を特定した場合には、当該部分特定情報に対応する部分整備情報を、前記撮影ステップで取得した撮影画像における当該部分特定情報で特定される部分に対応付けて表示する表示ステップと、を備えた整備情報表示方法。
【請求項１０】
整備対象の全体に関する特徴の情報である全体特徴情報と、当該整備対象の整備に関する情報である全体整備情報とを有する全体情報が１以上記憶される全体情報記憶部と、整備対象の部分を特定する部分特定情報と、当該整備対象の部分の整備に関する情報である部分整備情報とを有する部分情報が１以上の記憶される部分情報記憶部とにアクセス可能なコンピュータを、
撮影の指示を受け付ける受付部、
前記受付部が受け付けた撮影の指示に応じて撮影を行い、撮影画像を取得する撮影部が取得した撮影画像と適合する全体特徴情報、または、前記撮影部が取得した撮影画像と適合する部分特定情報を特定する特定部、
前記特定部が全体特徴情報を特定した場合には、当該全体特徴情報に対応する全体整備情報を、前記撮影部が取得した撮影画像における当該全体特徴情報に適合する部分に対応付けて表示し、前記特定部が部分特定情報を特定した場合には、当該部分特定情報に対応する部分整備情報を、前記撮影部が取得した撮影画像における当該部分特定情報で特定される部分に対応付けて表示する表示部として機能させるためのプログラム。
【発明の詳細な説明】
【技術分野】
【０００１】
本発明は、整備対象に関する情報を表示する整備情報表示装置等に関する。
【背景技術】
【０００２】
従来、整備対象機器に装着された発光型ＲＦＩＤタグを用いて、整備対象機器に関連する表示情報の表示位置を算出し、その算出した表示位置に表示情報を表示する装置が知られている（例えば、特許文献１参照）。
【先行技術文献】
【特許文献】
【０００３】
【特許文献１】特開２００７−１８１８８号公報
【発明の概要】
【発明が解決しようとする課題】
【０００４】
しかしながら、上記従来例においては、整備対象機器に対応する表示情報を表示することはできるが、それよりも細かい表示を行うことができないという問題がある。例えば、整備対象装置の全体に対して、整備等の際に注意しなければならない事項や、整備の手順等を表示することはできるが、その装置の部分について、整備に関する情報を表示することはできなかった。
【０００５】
本発明は、上記課題を解決するためになされたものであり、整備対象そのものについてだけでなく、整備対象の部分についても整備に関する情報を表示することができる整備情報表示装置等を提供することを目的とする。
【課題を解決するための手段】
【０００６】
上記目的を達成するため、本発明による整備情報表示装置は、整備対象の全体に関する特徴の情報である全体特徴情報と、整備対象の整備に関する情報である全体整備情報とを有する全体情報が１以上記憶される全体情報記憶部と、整備対象の部分を特定する部分特定情報と、整備対象の部分の整備に関する情報である部分整備情報とを有する部分情報が１以上の記憶される部分情報記憶部と、撮影の指示を受け付ける受付部と、受付部が受け付けた撮影の指示に応じて撮影を行い、撮影画像を取得する撮影部と、撮影部が取得した撮影画像と適合する全体特徴情報、または、撮影部が取得した撮影画像と適合する部分特定情報を特定する特定部と、特定部が全体特徴情報を特定した場合には、全体特徴情報に対応する全体整備情報を表示し、特定部が部分特定情報を特定した場合には、部分特定情報に対応する部分整備情報を表示する表示部と、を備えたものである。
このような構成により、整備対象に対して、全体整備情報を表示することができ、整備対象の部分に対して、部分整備情報を表示することができる。その結果、整備対象の細かい部分についても、詳細な整備の情報を表示することができるようになり、整備対象の整備を適切に支援することができるようになる。
【０００７】
また、本発明による整備情報表示装置では、表示部は、特定部が全体特徴情報を特定した場合には、全体特徴情報に対応する全体整備情報を、撮影部が取得した撮影画像における全体特徴情報に適合する部分に対応付けて表示し、特定部が部分特定情報を特定した場合には、部分特定情報に対応する部分整備情報を、撮影部が取得した撮影画像における部分特定情報で特定される部分に対応付けて表示してもよい。
このような構成により、表示された整備に関する情報が、撮影されたどの部分に対応するものであるのかを容易に把握することができるようになる。
【０００８】
また、本発明による整備情報表示装置では、全体特徴情報は、整備対象の全体の画像であってもよい。
このような構成により、整備対象の全体の画像と、撮影画像との適合を判断することによって、整備対象の全体に対応する整備の情報を表示することができるようになる。
【０００９】
また、本発明による整備情報表示装置では、部分特定情報は、整備対象の部分に関する特徴の情報であってもよい。
【００１０】
また、本発明による整備情報表示装置では、部分特定情報は、整備対象の部分の画像であってもよい。
このような構成により、整備対象の部分の画像と、撮影画像との適合を判断することによって、整備対象の部分に対応する整備の情報を表示することができるようになる。
【００１１】
また、本発明による整備情報表示装置では、前記受付部は、拡大・縮小の指示も受け付けるものであり、前記表示部は、前記撮影部が撮影した撮影画像を表示するものであり、
前記表示部が表示する撮影画像は、前記受付部が受け付けた拡大・縮小の指示に応じてズームイン・ズームアウトが行われ、前記部分特定情報は、整備対象の全体における領域を示す情報であり、前記特定部は、撮影画像と適合する全体特徴情報を特定した後に、当該全体特徴情報に適合する部分の一部にズームインされた場合に、当該ズームインされた領域を示す部分特定情報を特定してもよい。
このような構成により、整備対象の全体の特定の後に整備対象の部分が特定されるため、整備対象の部分をいきなり特定する場合よりも精度の高い特定が可能となる。
【００１２】
また、本発明による整備情報表示装置では、全体整備情報は、整備の手順に関する情報であってもよい。
このような構成により、例えば、まず、整備対象の全体に対応して、全体整備情報である整備の手順に関する情報を表示し、その後に、整備対象の各部分に対応して、部分整備情報である設定等の細かい情報を表示することができうる。
【００１３】
また、本発明による整備情報表示装置では、受付部は、整備対象に対する整備の終了をも受け付けるものであり、整備対象を識別する整備対象識別情報と、整備対象から次の整備対象までのルートを示すルート情報とを有する整備ルート情報が１以上記憶される整備ルート情報記憶部をさらに備え、表示部は、受付部が整備の終了を受け付けた場合に、整備の終了した整備対象を識別する整備対象識別情報に対応するルート情報に関する表示をも行ってもよい。
このような構成により、整備ルート情報に応じて、順次、整備対象の位置をナビゲートすることができるようになり、整備業務を支援することができる。
【００１４】
また、本発明による整備情報表示装置では、同じ整備対象に対応する、全体特徴情報と部分特定情報とを対応付ける情報である親子関係情報が記憶される親子関係情報記憶部をさらに備え、前記特定部は、撮影画像（これを第１の撮影画像とする）と適合する全体特徴情報を特定した後に、当該撮影画像と別の撮影画像（第２の撮影画像とする）に適合する部分特定情報の特定を行う場合には、前記第２の撮影画像に適合する部分特定情報を、前記第１の撮影画像と適合した全体特徴情報と親子関係情報で対応付けられる部分特定情報から特定してもよい。
このような構成により、異なる整備対象に類似する部分が存在する場合であっても、その部分特定情報の特定時の誤判断を低減させることができるようになり、より正確な部分整備情報の表示が可能となる。また、適合の判断を行う部分特定情報が絞り込まれることになるため、処理スピードも向上することになる。なお、第２の撮影画像は第１の撮影画像の直後に撮影された撮影画像であってもよく、あるいは、そうでなくてもよい。後者の場合には、例えば、いずれかの全体特徴情報に適合する撮影画像が取得されると、その撮影画像が第１の撮影画像となり、その後、いずれかの全体特徴情報に適合する撮影画像が取得されるまでは、取得された撮影画像はすべて第２の撮影画像となってもよい。したがって、例えば、第１の撮影画像が取得された後に、別の撮影画像が取得された場合に、その撮影画像がいずれかの全体特徴情報と適合するかどうか判断し、適合するときには、その撮影画像が新たに第１の撮影画像となり、適合しないときには、その撮影画像を第２の撮影画像として、第１の撮影画像と適合した全体特徴情報に対応する部分特定情報から、第２の撮影画像に適合する部分特定情報の特定を行ってよい。
【発明の効果】
【００１５】
本発明による整備情報表示装置等によれば、整備対象の全体についても、また部分についても整備の情報を表示でき、整備対象の整備を支援することができる。
【図面の簡単な説明】
【００１６】
【図１】本発明の実施の形態１による整備情報表示装置の構成を示すブロック図
【図２】同実施の形態による整備情報表示装置の動作を示すフローチャート
【図３】同実施の形態による整備情報表示装置の動作を示すフローチャート
【図４】同実施の形態における全体情報の一例を示す図
【図５】同実施の形態における全体特徴情報の一例を示す図
【図６】同実施の形態における部分情報の一例を示す図
【図７】同実施の形態における部分特定情報の一例を示す図
【図８】同実施の形態における整備ルート情報の一例を示す図
【図９】同実施の形態における表示の一例を示す図
【図１０】同実施の形態における表示の一例を示す図
【図１１】同実施の形態における表示の一例を示す図
【図１２】同実施の形態における表示の一例を示す図
【図１３】同実施の形態における表示の一例を示す図
【図１４】同実施の形態における表示の一例を示す図
【図１５】同実施の形態における表示の一例を示す図
【図１６】同実施の形態における親子関係情報の一例を示す図
【図１７】同実施の形態における全体特徴情報における複数の部分に対応した領域の一例を示す図
【図１８】同実施の形態における部分情報の他の一例を示す図
【図１９】同実施の形態における３次元の整備情報の一例を示す図
【図２０】同実施の形態におけるコンピュータシステムの外観一例を示す模式図
【図２１】同実施の形態におけるコンピュータシステムの構成の一例を示す図
【発明を実施するための形態】
【００１７】
以下、本発明による整備情報表示装置について、実施の形態を用いて説明する。なお、以下の実施の形態において、同じ符号を付した構成要素及びステップは同一または相当するものであり、再度の説明を省略することがある。
【００１８】
（実施の形態１）
本発明の実施の形態１による整備情報表示装置について、図面を参照しながら説明する。本実施の形態による整備情報表示装置は、整備対象の全体及び部分に対して、整備に関する情報を表示するものである。
【００１９】
図１は、本実施の形態による整備情報表示装置１の構成を示すブロック図である。本実施の形態による整備情報表示装置１は、全体情報記憶部１１と、部分情報記憶部１２と、受付部１３と、撮影部１４と、撮影画像記憶部１５と、特定部１６と、現在位置取得部１７と、地図情報記憶部１８と、整備ルート情報記憶部１９と、表示部２１とを備える。なお、整備情報表示装置１は、例えば、撮影機能や地図表示機能、ナビゲーション機能等を有する携帯電話やＰＤＡ（Ｐｅｒｓｏｎａｌ  Ｄｉｇｉｔａｌ  Ａｓｓｉｓｔａｎｔ）であってもよく、ＰＮＤ（Ｐｅｒｓｏｎａｌ  Ｎａｖｉｇａｔｉｏｎ  Ｄｅｖｉｃｅ）であってもよい。
【００２０】
全体情報記憶部１１では、１以上の全体情報が記憶される。全体情報は、整備対象の全体に関する特徴の情報である全体特徴情報と、その整備対象の整備に関する情報である全体整備情報とを有する情報である。１個の全体情報に含まれる全体特徴情報と、全体整備情報とは、同じ整備対象に対応する情報である。整備とは、例えば、保守であってもよく、維持や管理のために行われる処理であってもよく、修理であってもよく、整備対象を整えるためのその他の処理であってもよい。整備対象とは、何らかの整備の対象となるものであれば、どのようなものであってもよい。例えば、ある装置や機械であってもよく、ビル等の建築物やプラント等であってもよい。また、整備対象は、プラントやシステム等の全体であってもよく、あるいは、一部であってもよい。例えば、大規模なプラントの配管部分が整備対象であってもよく、そのプラント用の電源装置が整備対象であってもよい。また、Ａ装置、Ｂ装置、Ｃ装置からなるシステムにおける各装置が整備対象であってもよい。全体特徴情報は、撮影画像において整備対象を特定するために用いられる情報であり、例えば、整備対象の全体の画像であってもよく、その整備対象の全体の画像から抽出された、その整備対象の特徴量（例えば、輪郭を示す情報や、コーナー検出等によって検出されたコーナー点や、線の端点、分岐点、交差点等である特徴点を示す情報などの画像のパターンマッチングで用いられる整備対象の特徴を示す情報）であってもよい。全体整備情報は、整備対象の全体に対応する整備に関する情報であり、例えば、整備の手順に関する情報であってもよく、整備対象の全体に対応する内部構造を示す情報であってもよく、整備対象の全体に対応する設定値や、出力に関する理論値や標準値、整備に関するその他の情報であってもよい。整備の手順に関する情報は、例えば、整備を行う部分の順番を示すものであってもよく、整備で行う処理を順番に示すものであってもよく、その他の整備の手順に関する情報であってもよい。また、整備対象の全体に対応する内部構造を示す情報は、例えば、内部構造を示す２次元の画像であってもよく、内部構造に対応した３次元コンピュータグラフィックスの情報であってもよく、その他の内部構造を示す情報であってもよい。設定値は、例えば、整備対象に設定する値であってもよい。また、理論値や標準値は、例えば、整備対象が出力する値の理論的な理想値や、経験に基づいた標準的な値であってもよい。また、全体整備情報は、例えば、整備の処理を開始するときに入力しなければならないパスワード等であってもよい。なお、全体情報は、通常、全体特徴情報と全体整備情報とを一対一に対応付ける情報であるが、全体情報は、複数の全体特徴情報と、１個の全体整備情報とを対応付ける情報であってもよい。すなわち、全体特徴情報と、全体整備情報とは、多対一の関係であってもよい。例えば、複数方向の画像に対応した複数の全体特徴情報と、１個の全体整備情報とが対応付けられていてもよい。その場合には、例えば、１個の全体情報に、複数の全体特徴情報と、１個の全体整備情報とが含まれていてもよい。例えば、ある整備対象について、正面の画像である全体特徴情報、右側面の画像である全体特徴情報、左側面の画像である全体特徴情報、平面（上面）の画像である全体特徴情報、背面の画像である全体特徴情報と、全体整備情報とを有する全体情報が存在してもよい。
【００２１】
全体情報記憶部１１に１以上の全体情報が記憶される過程は問わない。例えば、記録媒体を介して１以上の全体情報が全体情報記憶部１１で記憶されるようになってもよく、通信回線等を介して送信された１以上の全体情報が全体情報記憶部１１で記憶されるようになってもよく、あるいは、入力デバイスを介して入力された１以上の全体情報が全体情報記憶部１１で記憶されるようになってもよい。全体情報記憶部１１での記憶は、ＲＡＭ等における一時的な記憶でもよく、あるいは、長期的な記憶でもよい。全体情報記憶部１１は、所定の記録媒体（例えば、半導体メモリや磁気ディスク、光ディスクなど）によって実現されうる。また、全体特徴情報や全体整備情報は、全体特徴情報や全体整備情報そのものであってもよく、あるいは、全体特徴情報等が格納されている位置を示すポインタやアドレスであってもよい。他の情報についても同様であるとする。
【００２２】
部分情報記憶部１２では、１以上の部分情報が記憶される。部分情報は、整備対象の部分を特定する部分特定情報と、その整備対象の部分の整備に関する情報である部分整備情報とを有する情報である。１個の部分情報に含まれる部分特定情報と、部分整備情報とは、同じ整備対象の部分に対応する情報である。整備対象の部分は、整備対象の少なくとも一部である。例えば、整備対象が装置や機械である場合に、その装置や機械を構成する一つのユニットが整備対象の部分であってもよい。また、例えば、整備対象がプラントの電源装置である場合に、その電源装置の表示パネルが整備対象の部分であってもよい。部分特定情報は、例えば、整備対象の部分に関する特徴の情報であってもよい。その整備対象の部分に関する特徴の情報は、整備対象の全体が部分となった以外、全体特徴情報と同様の情報である。その整備対象の部分に関する特徴の情報は、撮影画像において整備対象の部分を特定するために用いられる情報であり、例えば、整備対象の部分の画像であってもよく、その整備対象の部分の画像から抽出された、その整備対象の部分の特徴量であってもよい。また、部分整備情報は、整備対象の部分に対応する整備に関する情報であり、整備対象の全体が部分となった以外、全体整備情報と同様のものである。部分整備情報は、例えば、整備対象の部分に対応する内部構造を示す情報であってもよく、整備対象の部分に対応する設定値や、出力に関する理論値や標準値、整備に関するその他の情報であってもよい。なお、部分情報も全体情報と同様に、通常、部分特定情報と部分整備情報とを一対一に対応付ける情報であるが、部分情報は、複数の部分特定情報と、１個の部分整備情報とを対応付ける情報であってもよい。すなわち、部分特定情報と、部分整備情報とは、多対一の関係であってもよい。例えば、複数方向の画像に対応した複数の部分特定情報と、１個の部分整備情報とが対応付けられていてもよい。その場合には、例えば、１個の部分情報に、複数の部分特定情報と、１個の部分整備情報とが含まれていてもよい。例えば、ある整備対象の部分について、正面の画像である部分特定情報、右側面の画像である部分特定情報、左側面の画像である部分特定情報、平面（上面）の画像である部分特定情報、背面の画像である部分特定情報と、部分整備情報とを有する部分情報が存在してもよい。
【００２３】
部分情報記憶部１２に１以上の部分情報が記憶される過程は問わない。例えば、記録媒体を介して１以上の部分情報が部分情報記憶部１２で記憶されるようになってもよく、通信回線等を介して送信された１以上の部分情報が部分情報記憶部１２で記憶されるようになってもよく、あるいは、入力デバイスを介して入力された１以上の部分情報が部分情報記憶部１２で記憶されるようになってもよい。部分情報記憶部１２での記憶は、ＲＡＭ等における一時的な記憶でもよく、あるいは、長期的な記憶でもよい。部分情報記憶部１２は、所定の記録媒体（例えば、半導体メモリや磁気ディスク、光ディスクなど）によって実現されうる。
【００２４】
受付部１３は、撮影の指示を受け付ける。撮影の指示は、例えば、１個の静止画像を撮影するための指示であってもよく、撮影が連続して行われる場合には、撮影の開始の指示であってもよい。受付部１３は、例えば、シャッターボタンの押下により撮影の指示を受け付けてもよく、タッチパネル等において撮影の指示を受け付けてもよく、音声による撮影の指示を受け付けてもよく、その他の方法によって撮影の指示を受け付けてもよい。シャッターボタンは、例えば、デジタルスチルカメラのように、専用のボタンであってもよく、あるいは、携帯電話のように、他の機能と共用されるボタンであってもよい。また、受付部１３は、拡大・縮小の指示も受け付けてもよい。その拡大・縮小は、撮影の拡大・縮小の指示であってもよく、表示の拡大・縮小の指示であってもよい。また、受付部１３は、整備対象に対する整備の終了をも受け付けてもよい。また、受付部１３は、その他の受け付けを行ってもよい。例えば、受付部１３は、特定部１６による処理を行う旨の指示を受け付けてもよい。受付部１３は、例えば、入力デバイス（例えば、キーボードやマウス、タッチパネルなど）から入力された撮影の指示等を受け付けてもよく、有線もしくは無線の通信回線を介して送信された撮影の指示等を受信してもよい。なお、受付部１３は、受け付けを行うためのデバイス（例えば、モデムやネットワークカードなど）を含んでもよく、あるいは含まなくてもよい。また、受付部１３は、ハードウェアによって実現されてもよく、あるいは所定のデバイスを駆動するドライバ等のソフトウェアによって実現されてもよい。
【００２５】
撮影部１４は、受付部１３が受け付けた撮影の指示に応じて撮影を行い、撮影画像を取得する。撮影部１４は、その取得した撮影画像を撮影画像記憶部１５に蓄積する。撮影画像は、例えば、静止画像であってもよく、あるいは、動画像であってもよい。また、撮影部１４は、例えば、ＣＣＤや、ＣＭＯＳ等の撮像素子や、光学レンズ等を用いることによって、撮影画像を取得する。撮影部１４は、受付部１３が受け付けた拡大・縮小の指示に応じたズームイン・ズームアウトを行ってもよい。また、撮影画像のデータ形式は問わない。例えば、ＪＰＥＧであってもよく、ＴＩＦＦであってもよく、ＲＡＷデータであってもよい。撮影を行って撮影画像を取得する方法については、デジタルカメラ等によってすでに公知であり、その詳細な説明を省略する。
【００２６】
撮影画像記憶部１５では、撮影部１４が取得した撮影画像が記憶される。その撮影画像は、前述のように、撮影部１４によって蓄積されたものである。撮影画像記憶部１５での記憶は、ＲＡＭ等における一時的な記憶でもよく、あるいは、長期的な記憶でもよい。撮影画像記憶部１５は、所定の記録媒体（例えば、半導体メモリや磁気ディスク、光ディスクなど）によって実現されうる。
【００２７】
特定部１６は、撮影部１４が取得した撮影画像と適合する全体特徴情報、または、撮影部１４が取得した撮影画像と適合する部分特定情報を特定する。撮影画像と適合する全体特徴情報や部分特定情報は、撮影画像の少なくとも一部と適合する全体特徴情報や部分特定情報であればよい。その適合は、いわゆるパターンマッチングの技術を用いて行われることになる。すなわち、撮影画像と全体特徴情報等との類似度が算出され、類似度がしきい値以上である場合に、両者が適合すると判断されてもよい。なお、全体特徴情報や、部分特定情報が画像である場合には、特定部１６は、その画像から輪郭や特徴点等の特徴量を抽出し、撮影画像から抽出した特徴量と比較することによって、適合するかどうかの判断を行ってもよく、あるいは、画像そのものを比較することによって、適合するかどうかの判断を行ってもよい。また、全体特徴情報や、部分特定情報が、画像の特徴量である場合には、特定部１６は、その特徴量である全体特徴情報等と、撮影画像から抽出した特徴量とを比較することによって、適合するかどうかの判断を行ってもよい。また、特定部１６は、撮影画像が、全体特徴情報または部分特定情報と適合した場合に、その適合した撮影画像の領域の特定をも行ってもよい。例えば、特定部１６は、その領域を示す情報を図示しない記録媒体に蓄積してもよい。その領域を示す情報は、その領域の輪郭を示す情報であってもよい。なお、特定部１６は、まず、撮影画像と適合する全体特徴情報が存在するかどうか判断し、存在する場合には部分特定情報に関する特定は行わず、存在しない場合に、撮影画像と適合する部分特定情報が存在するかどうか判断してもよい。また、撮影部１４によって、整備対象の全体の撮影が行われた後に、その整備対象の部分の撮影が行われると決まっている場合には、特定部１６は、まず整備対象の全体の撮影画像に対して全体特徴情報の特定を行い、その後に、整備対象の部分の撮影画像に対して部分特定情報の特定を行ってもよい。その部分特定情報の特定の際に、全体特徴情報の特定において撮影画像と適合するとされた全体特徴情報と同じ整備対象に関する部分特定情報のみを用いて、部分特定情報の特定を行ってもよい。このようにすることで、まず、全体特徴情報によって整備対象を絞り込むことができ、その後に、その整備対象における部分を絞り込むことができる。例えば、異なる整備対象であったとしても、それらの整備対象の部分同士が類似していることもありうる。そのため、部分特定情報のみを用いた特定を行った場合には、誤った特定を行う可能性がありうる。一方、そのような場合でも、整備対象の絞り込みを行った後に、その整備対象における部分の絞り込みを行うことによって、より誤りの少ない、適切な特定を行うことができるようになる。なお、特定部１６による処理は、画像のパターンマッチングの処理としてすでに公知であり、その詳細な説明を省略する。
【００２８】
現在位置取得部１７は、整備情報表示装置１の現在位置を取得する。その現在位置の取得は、例えば、ＧＰＳ（Ｇｌｏｂａｌ  Ｐｏｓｉｔｉｏｎｉｎｇ  Ｓｙｓｔｅｍ）を用いてなされてもよく、ジャイロなどの自律航法装置を用いてなされてもよく、その両方を用いることによって互いの欠点を補うようにしてもよい。現在位置取得部１７は、例えば、屋外であればＧＰＳを用いて現在位置を取得し、屋内であれば自律航法により、３次元加速度センサやジャイロ等を用いて整備情報表示装置１の移動を検出し、その検出した加速度や角速度を積分することによって移動方向や移動距離を算出し、現在位置を取得してもよい。また、現在位置取得部１７は、屋内において、ＲＦＩＤ（Ｒａｄｉｏ  Ｆｒｅｑｕｅｎｃｙ  Ｉｄｅｎｔｉｆｉｃａｔｉｏｎ）や無線ＬＡＮ、Ｂｌｕｅｔｏｏｔｈ（登録商標）等を用いて３点測量を行うことによって現在位置を取得してもよく、人感センサやカメラ等のように、屋内の所定の場所に固定された機器を介して現在位置を取得してもよい。また、現在位置取得部１７は、三次元方位センサ（三次元コンパス）を含み、３次元での向きも取得してもよい。なお、現在位置の取得方法は、これらに限定されないことは言うまでもない。例えば、携帯電話の最寄りの基地局を利用した現在位置の取得等を行ってもよい。また、現在位置取得部１７が取得する現在位置は、例えば、緯度と経度を示す座標であってもよく、その他の座標であってもよい。本実施の形態では、現在位置が緯度・経度である場合について説明する。
【００２９】
地図情報記憶部１８では、地図に関する情報である地図情報が記憶される。地図情報は、例えば、地図の画像情報であってもよい。この画像情報は、例えば、ラスタデータ（ビットマップデータ）であってもよく、ベクタデータであってもよい。また、画像情報がラスタデータである場合には、地図情報に、複数の縮尺に対応した画像情報が含まれていてもよい。例えば、同じ地域について、縮尺の大きい画像情報、縮尺の中ぐらいの画像情報、縮尺の小さい画像情報が地図情報に含まれていてもよい。また、地図情報は、タイル状に分割された地図を示すものであり、それらを適宜組み合わせることによって、様々な領域の地図を表示することができるようになっていてもよい。ここで、「地図」は、地形図や、地勢図、地質図、土地利用図、住宅地図、路線図、道路地図、ガイドマップ等であってもよい。また、その地図情報は、ルート探索を行うことができるものである。すなわち、地図情報は、例えば、道路の位置を示すものであってもよい。また、その地図情報は、道路の属性（例えば、制限速度や、主要な道路であるのか、脇道であるのかなど）を知ることができるようになっているものであってもよい。また、例えば、この地図情報は、ナビゲーションで用いられるＫＩＷＩフォーマットのものであってもよい。また、「地図」は、地形や道路等が把握可能な航空写真や衛星写真、それらに記号や文字等が記入されたものなどであってもよい。地図情報において、地図の各地点と、座標（位置）との対応を知ることができるようになっているものとする。座標とは、ある基準点を原点とした座標（この座標は、例えば、距離でもよい）であってもよく、緯度・経度であってもよく、その他の位置を識別できる情報であってもよい。地図情報に、その座標そのものが含まれていてもよい。本実施の形態では、座標が緯度・経度である場合について説明する。また、「地図」は複数階を有する建物の各階に応じた見取り図や鳥瞰図であってもよい。その場合には、地図情報は、地図の各地点と、高さ（標高）方向も含む３次元の座標（位置）との対応を知ることができるようになっているものとする。高さ方向の座標は、例えば、高さの距離（メートル等）で示されてもよく、あるいは、階数で示されてもよい。また、この地図情報には、地名や、山や川などの地形に関する文字情報が含まれていてもよい。また、この地図情報において、北などの特定の方位がどちらであるのかが設定されていてもよい。なお、地図情報は、２次元のオンライン地図や電子地図等として公知であり、その詳細な説明を省略する。
【００３０】
地図情報記憶部１８に地図情報が記憶される過程は問わない。例えば、記録媒体を介して地図情報が地図情報記憶部１８で記憶されるようになってもよく、通信回線等を介して送信された地図情報が地図情報記憶部１８で記憶されるようになってもよい。また、地図情報記憶部１８での記憶は、ＲＡＭ等における一時的な記憶でもよく、あるいは、長期的な記憶でもよい。地図情報記憶部１８は、所定の記録媒体（例えば、半導体メモリや磁気ディスク、光ディスクなど）によって実現されうる。
【００３１】
整備ルート情報記憶部１９では、１以上の整備ルート情報が記憶される。整備ルート情報は、整備対象を識別する整備対象識別情報と、その整備対象から次の整備対象までのルートを示すルート情報とを有する情報である。ルート情報は、例えば、始点から終点までのルートを構成する多数の点の位置を示す情報であってもよい。その位置には、高さ（標高）方向の座標が含まれてもよい。すなわち、その位置は、３次元の座標の情報であってもよい。そのルート情報は、例えば、手作業で作成されてもよく、あるいは、経路探索の手法等を用いて自動的に作成されてもよい。後者の場合には、ルート情報は、例えば、整備情報表示装置１の使用中に生成され、蓄積されたものであってもよい。例えば、図示しないルート情報生成部が、整備の終了した整備対象の位置から次の整備対象までのルート情報を経路探索の手法を用いて生成し、その生成したルート情報と、整備の終了した整備対象を識別する整備対象識別情報とを含む整備ルート情報を整備ルート情報記憶部１９に蓄積してもよい。その経路探索において、例えば、ダイクストラ法が用いられてもよく、Ａ＊アルゴリズムが用いられてもよく、ベルマン−フォード法が用いられてもよく、ワーシャル−フロイド法が用いられてもよく、その他のアルゴリズムが用いられてもよく。このルートの生成の処理は、すでに公知であり、その詳細な説明を省略する。例えば、オンラインマップにおいて、始点の緯度・経度と、終点の緯度・経度を入力すると、その始点から終点までのルートが表示されるものがある（例えば、「ｈｔｔｐ：／／ｍａｐｓ．ｇｏｏｇｌｅ．ｃｏ．ｊｐ／ｍａｐｓ」等を参照のこと）。また、本実施の形態では、整備ルート情報記憶部１９において、２以上の整備ルート情報が記憶される場合について説明する。整備対象識別情報は、例えば、整備対象の名称であってもよく、整備対象のＩＤであってもよく、あるいは、その他の整備対象を識別可能な情報であってもよい。整備ルート情報記憶部１９で記憶されている整備ルート情報において、例えば、整備情報表示装置１のユーザが整備をする整備対象の順番が分かるようになっていてもよい。例えば、整備の順番に整備ルート情報が並んでいてもよく、あるいは、整備ルート情報に、整備の順番を示す情報が含まれていてもよい。また、整備が終了したかどうかを示すフラグ等の情報が整備ルート情報に含まれていてもよく、あるいは、含まれていなくてもよい。
【００３２】
整備ルート情報記憶部１９に１以上の整備ルート情報が記憶される過程は問わない。例えば、記録媒体を介して１以上の整備ルート情報が整備ルート情報記憶部１９で記憶されるようになってもよく、通信回線等を介して送信された１以上の整備ルート情報が整備ルート情報記憶部１９で記憶されるようになってもよく、あるいは、入力デバイスを介して入力された１以上の整備ルート情報が整備ルート情報記憶部１９で記憶されるようになってもよい。整備ルート情報記憶部１９での記憶は、ＲＡＭ等における一時的な記憶でもよく、あるいは、長期的な記憶でもよい。整備ルート情報記憶部１９は、所定の記録媒体（例えば、半導体メモリや磁気ディスク、光ディスクなど）によって実現されうる。
【００３３】
表示部２１は、特定部１６が全体特徴情報を特定した場合には、全体特徴情報に対応する全体整備情報を表示し、特定部１６が部分特定情報を特定した場合には、部分特定情報に対応する部分整備情報を表示する。なお、表示部２１は、特定部１６が全体特徴情報を特定した場合には、全体特徴情報に対応する全体整備情報を、撮影部１４が取得した撮影画像における全体特徴情報に適合する部分に対応付けて表示し、特定部１６が部分特定情報を特定した場合には、部分特定情報に対応する部分整備情報を、撮影部１４が取得した撮影画像における部分特定情報で特定される部分に対応付けて表示してもよい。または、表示部２１は、撮影画像とは別個に全体整備情報や部分整備情報を表示してもよい。ここで、対応付けて表示するとは、結果として対応が分かるようになればよく、例えば、全体整備情報が、撮影部１４が取得した撮影画像における全体特徴情報に適合する部分の上に表示されてもよく、全体整備情報と、撮影部１４が取得した撮影画像における全体特徴情報に適合する部分とが線やその他の図形でリンク付けられて表示されてもよい。また、表示部２１は、撮影部１４が撮影した撮影画像を表示してもよい。また、表示部２１は、受付部１３が受け付けた拡大・縮小の指示に応じて、表示している撮影画像を拡大・縮小してもよい。また、表示部２１は、撮影部１４が撮影を行う際に、その撮影対象の表示を行ってもよい。どのような撮影が行われるのかをユーザが確認できるようにするためである。また、表示部２１は、受付部１３が整備の終了を受け付けた場合に、その整備の終了した整備対象を識別する整備対象識別情報に対応するルート情報に関する表示を行ってもよい。整備対象識別情報に対応するルート情報とは、整備対象識別情報と同じ整備ルート情報に含まれるルート情報のことである。そのルート情報に関する表示として、表示部２１は、ルート情報の示すルートに対応する図形（通常、線状の図形である）を、地図上に表示してもよく、いわゆる直感ナビ（登録商標）のように、撮影部１４が撮影した撮影画像上に目的地までのルートを案内する画像を重ねて表示してもよく、その他のルート情報を用いたナビゲーションを行ってもよい。表示部２１は、地図を表示する場合に、表示対象となる領域の地図情報のみを地図情報記憶部１８から読み出して表示するものとする。地図情報を表示するとは、地図情報における地図の画像を表示することである。なお、その地図の画像には、地名や、北を示す方位図形、縮尺を示す縮尺表示等が表示されてもよい。また、表示部２１は、整備情報表示装置１の位置を示すマークを地図上に表示してもよい。そのマークは、現在位置取得部１７が取得した現在位置に応じて表示されてもよい。また、表示部２１が、ルート情報の示すルートを地図上に表示する場合には、ルートの全体を表示してもよく、あるいは、現在位置の近辺のルートのみを表示してもよい。この表示部２１は、例えば、携帯電話やスマートフォン、ＰＤＡ等のディスプレイのように、手で保持するものであってもよく、あるいは、ヘッドマウントディスプレイであってもよい。
【００３４】
なお、表示部２１は、それらの表示を行う表示デバイス（例えば、液晶ディスプレイなど）を含んでもよく、あるいは含まなくてもよい。また、表示対象の表示は、別の装置においてなされてもよい。その場合には、表示部２１は、装置の外部に対して表示対象の情報を送信するものであってもよい。また、表示部２１は、ハードウェアによって実現されてもよく、あるいは表示デバイスを駆動するドライバ等のソフトウェアによって実現されてもよい。
【００３５】
また、全体情報記憶部１１と、部分情報記憶部１２と、撮影画像記憶部１５と、地図情報記憶部１８と、整備ルート情報記憶部１９とのうち、任意の二以上の記憶部は、同一の記録媒体によって実現されてもよく、あるいは、別々の記録媒体によって実現されてもよい。前者の場合には、例えば、全体情報を記憶している領域が全体情報記憶部１１となり、部分情報を記憶している領域が部分情報記憶部１２となる。
【００３６】
次に、整備情報表示装置１の動作について図２のフローチャートを用いて説明する。
（ステップＳ１０１）受付部１３は、撮影の指示を受け付けたかどうか判断する。そして、撮影の指示を受け付けた場合には、ステップＳ１０２に進み、そうでない場合には、ステップＳ１０４に進む。
【００３７】
（ステップＳ１０２）撮影部１４は、撮影を行い、撮影画像を取得する。
【００３８】
（ステップＳ１０３）撮影部１４は、取得した撮影画像を撮影画像記憶部１５に蓄積する。そして、ステップＳ１０１に戻る。
なお、撮影部１４が撮影を連続して行う場合や、動画像を撮影する場合には、ステップＳ１０２，Ｓ１０３の処理が繰り返して実行されてもよい。また、動画像が撮影される場合には、その動画像が蓄積されることになるが、連続した撮影を行うだけであって、動画像を撮影するのではない場合には、最新の撮影画像のみが撮影画像記憶部１５に蓄積されてもよい。
【００３９】
（ステップＳ１０４）特定部１６は、全体特徴情報や、部分特定情報の特定を行うかどうか判断する。例えば、受付部１３が、その特定を行う旨の指示を受け付けた場合に、その特定の処理を行うと判断してもよく、撮影部１４が撮影画像の取得を行った場合に、その特定の処理を行うと判断してもよく、その他のタイミングで、その特定の処理を行うと判断してもよい。
【００４０】
（ステップＳ１０５）特定部１６は、全体特徴情報等の特定の処理を行う。この処理の詳細については、図３のフローチャートを用いて後述する。この処理で用いられる撮影画像は、通常、最新の撮影画像である。また、撮影画像が動画である場合にも、通常、その動画を構成する最新のフレームが、この処理で用いられる。
【００４１】
（ステップＳ１０６）特定部１６は、ステップＳ１０５において、全体特徴情報または部分特定情報の特定を行うことができたかどうか判断する。そして、特定を行うことができた場合には、ステップＳ１０７に進み、そうでない場合には、ステップＳ１０１に戻る。なお、ステップＳ１０１に戻る際に、撮影画像に対応する整備情報が存在しなかった旨が表示されてもよく、あるいは、そうでなくてもよい。
【００４２】
（ステップＳ１０７）表示部２１は、ステップＳ１０５において、特定部１６が全体特徴情報を特定した場合には、その全体特徴情報に対応する全体整備情報を表示し、特定部１６が部分特定情報を特定した場合には、その部分特定情報に対応する部分整備情報を表示する。その表示は、例えば、その全体特徴情報等に適合する撮影画像の部分に対応付けられた表示であってもよい。撮影部１４による撮影が連続して行われている場合には、その全体特徴情報等に適合する撮影画像の部分が表示画面上で移動することがある。その場合には、例えば、その移動に応じて、全体整備情報等の表示される位置も移動されてもよい。
【００４３】
（ステップＳ１０８）受付部１３は、整備対象に対する整備の終了を受け付けたかどうか判断する。そして、その整備の終了を受け付けた場合には、ステップＳ１０９に進み、そうでない場合には、ステップＳ１０１に戻る。ここで、受付部１３は、整備の終了した整備対象を識別する整備対象識別情報をも受け付けてもよい。
【００４４】
（ステップＳ１０９）表示部２１は、整備ルート情報記憶部１９を参照し、整備の終了された整備対象を識別する整備対象識別情報を含む整備ルート情報が存在するかどうか判断する。そして、存在する場合には、ステップＳ１１０に進み、存在しない場合には、ステップＳ１０１に戻る。なお、ステップＳ１０１に戻る際に、すべての整備が完了した旨が表示されてもよく、あるいは、そうでなくてもよい。
【００４５】
（ステップＳ１１０）表示部２１は、整備の終了した整備対象を識別する整備対象識別情報に対応するルート情報に関する表示を行う。この表示は、例えば、ユーザがルート情報の目的地に到達するまで、行われてもよい。そして、ステップＳ１０１に戻る。
なお、図２のフローチャートにおいて、撮影画像の蓄積が行われた後に特定の処理が行われる場合には、ステップＳ１０３からステップＳ１０５に進んでもよい。また、図２のフローチャートにおいて、電源オフや処理終了の割り込みにより処理は終了する。
【００４６】
図３は、図２のフローチャートにおける特定の処理（ステップＳ１０５）の詳細を示すフローチャートである。
（ステップＳ２０１）特定部１６は、カウンタｉを１に設定する。
【００４７】
（ステップＳ２０２）特定部１６は、全体情報記憶部１１で記憶されているｉ番目の全体特徴情報と、撮影画像とが適合するかどうか判断する。そして、適合する場合には、ステップＳ２０５に進み、そうでない場合には、ステップＳ２０３に進む。
【００４８】
（ステップＳ２０３）特定部１６は、カウンタｉを１だけインクリメントする。
【００４９】
（ステップＳ２０４）特定部１６は、ｉ番目の全体特徴情報が存在するかどうか判断する。そして、ｉ番目の全体特徴情報が存在する場合には、ステップＳ２０２に戻り、そうでない場合には、ステップＳ２０６に進む。
【００５０】
（ステップＳ２０５）特定部１６は、ｉ番目の全体特徴情報を特定する。全体特徴情報の特定は、例えば、その特定対象の全体特徴情報を図示しない記録媒体に蓄積することであってもよく、あるいは、その全体特徴情報に対応付けて特定した旨を示すフラグ等を設定することであってもよい。なお、特定部１６は、全体特徴情報と適合する撮影画像の部分を示す情報の特定も行ってもよい。そして、図２のフローチャートに戻る。
【００５１】
（ステップＳ２０６）特定部１６は、カウンタｉを１に設定する。
【００５２】
（ステップＳ２０７）特定部１６は、部分情報記憶部１２で記憶されているｉ番目の部分特定情報と、撮影画像とが適合するかどうか判断する。そして、適合する場合には、ステップＳ２１０に進み、そうでない場合には、ステップＳ２０８に進む。
【００５３】
（ステップＳ２０８）特定部１６は、カウンタｉを１だけインクリメントする。
【００５４】
（ステップＳ２０９）特定部１６は、ｉ番目の部分特定情報が存在するかどうか判断する。そして、ｉ番目の部分特定情報が存在する場合には、ステップＳ２０７に戻り、そうでない場合には、図２のフローチャートに戻る。図２のフローチャートに戻る場合には、撮影画像に対して、全体特徴情報等が特定されなかったことになる。
【００５５】
（ステップＳ２１０）特定部１６は、ｉ番目の部分特定情報を特定する。部分特定情報の特定は、例えば、その特定対象の部分特定情報を図示しない記録媒体に蓄積することであってもよく、あるいは、その部分特定情報に対応付けて特定した旨を示すフラグ等を設定することであってもよい。なお、特定部１６は、部分特定情報と適合する撮影画像の部分を示す情報の特定も行ってもよい。そして、図２のフローチャートに戻る。
【００５６】
次に、本実施の形態による整備情報表示装置１の動作について、具体例を用いて説明する。この具体例において、整備情報表示装置１は、撮影機能付きのタブレットＰＣ（Ｐｅｒｓｏｎａｌ  Ｃｏｍｐｕｔｅｒ）であるとする。また、この具体例では、整備対象がコピー機であって、ユーザが、ある工場における各部署のコピー機を整備する場合について説明する。また、この具体例では、全体情報記憶部１１において、図４で示される複数の全体情報が記憶されているものとする。図４において、全体情報を識別する全体ＩＤと、全体特徴情報と、全体整備情報とが対応付けられている。この具体例では、全体特徴情報と全体整備情報とが一対一に対応付けられているものとする。例えば、全体ＩＤ「１」の１番目の全体情報（１番目のレコード）において、全体特徴情報「Ｆ００１」と、整備の手順を示す全体整備情報「手順１：……  手順２：……」とが対応付けられている。その全体特徴情報は、整備対象の全体の画像を識別する情報であるとする。そして、その情報で識別される画像自体は、別途、全体情報記憶部１１において記憶されているものとする。但し、説明の便宜上、全体特徴情報「Ｆ００１」で識別される画像を、全体特徴情報「Ｆ００１」と呼ぶこともある。他の全体特徴情報についても同様である。その全体特徴情報「Ｆ００１」は、図５で示される整備対象の全体の画像であるとする。したがって、その図５で示される整備対象については、その画像「Ｆ００１」に対応する全体整備情報の示す手順に従って整備を行うことになる。
【００５７】
また、この具体例では、部分情報記憶部１２において、図６で示される複数の部分情報が記憶されているものとする。図６において、部分情報を識別する部分ＩＤと、部分特定情報と、部分整備情報とが対応付けられている。この具体例では、部分特定情報と部分整備情報とが一対一に対応付けられているものとする。例えば、部分ＩＤ「１」の１番目の部分情報（１番目のレコード）において、部分特定情報「Ｐ００１」と、部分整備情報「標準ＡＡＡ値：……  標準ＢＢＢ値：……」とが対応付けられている。その部分特定情報は、整備対象の部分の画像を識別する情報であるとする。そして、その情報で識別される画像自体は、別途、部分情報記憶部１２において記憶されているものとする。但し、説明の便宜上、部分特定情報「Ｐ００１」で識別される画像を、部分特定情報「Ｐ００１」と呼ぶこともある。他の部分特定情報についても同様である。その部分特定情報「Ｐ００１」や「Ｐ００２」は、図７で示される、整備対象の部分の画像であるとする。したがって、その図７（ａ）で示される整備対象の部分については、その画像「Ｐ００１」に対応する部分整備情報「標準ＡＡＡ値：……  標準ＢＢＢ値：……」に応じた標準ＡＡＡ値等となるように、整備が行われることになる。その部分整備情報によって、標準の値を知ることができるため、異常値を容易に発見することができるようになる。
【００５８】
また、この具体例では、整備ルート情報記憶部１９において、図８で示される複数の整備ルート情報が記憶されているものとする。図８において、整備対象識別情報と、ルート情報とが対応付けられている。例えば、１番目の整備ルート情報（１番目のレコード）において、整備対象識別情報「ＡＢＣ室コピー機」と、ルート情報Ｒ００１とが対応付けられている。そのルート情報Ｒ００１は、「ＡＢＣ室コピー機」で識別される整備対象から、次の整備対象識別情報である「ＸＹＺ室コピー機」で識別される整備対象までのルートを示すルート情報であるとする。そのルート情報Ｒ００１は、例えば、（Ｘ１０１，Ｙ１０１，１Ｆ）、（Ｘ１０２，Ｙ１０２，１Ｆ）、（Ｘ１０３，Ｙ１０３，１Ｆ）…（Ｘ１１０，Ｙ１１０，３Ｆ）…という情報であってもよい。そのルート情報Ｒ００１を構成する各座標（Ｘ１０１，Ｙ１０１，１Ｆ）等は、２次元の座標情報と、階数を示す高さ方向の座標とを含む情報である。
【００５９】
まず、ユーザが、整備情報表示装置１であるタブレットＰＣを持って、ＡＢＣ室のコピー機の位置まで行き、その整備情報表示装置１を操作して、整備ルート情報を表示させる処理を開始させたとする。そして、整備情報表示装置１のタッチパネルの反対側に存在するカメラの撮影画像をタッチパネルで確認し、図９のようにコピー機が表示された際に、タッチパネル上の「撮影」ボタンをタップしたとする。すると、その操作に応じて、受付部１３は、撮影の指示を受け付け、撮影部１４に撮影の指示を受け付けた旨を渡す（ステップＳ１０１）。すると、撮影部１４は、その時点での撮影画像を取得し、撮影画像記憶部１５に蓄積する（ステップＳ１０２，Ｓ１０３）。なお、その撮影画像は、図９でタッチパネルに表示されている画像である。また、ユーザが撮影を行うと、タッチパネルの表示は、その撮影時の画像で固定されるものとする。
【００６０】
次に、ユーザが画面上の「特定」ボタンをタップすると、受付部１３は、特定の処理を開始する指示を受け付けて、図示しない経路により特定部１６に渡す。特定部１６は、その指示を受け取ると、特定を行うタイミングであると判断し（ステップＳ１０４）、特定の処理を行う（ステップＳ１０５）。具体的には、特定部１６は、図４で示される全体情報を参照し、１番目の全体特徴情報「Ｆ００１」が、撮影画像と適合するかどうか判断する（ステップＳ２０１，Ｓ２０２）。この場合には、全体特徴情報が図５で示される「Ｆ００１」であり、撮影画像が図９でタッチパネルに表示されているものであるため、特定部１６は、適合すると判断し、全体特徴情報「Ｆ００１」を撮影画像と適合するものとして特定し、その全体特徴情報「Ｆ００１」が含まれる全体情報を識別する全体ＩＤ「１」と、その全体特徴情報の画像に対応する撮影画像における領域を示す情報とを表示部２１に渡す（ステップＳ２０５，Ｓ１０６）。すると、表示部２１は、全体ＩＤ「１」で識別される全体情報から全体整備情報を読み出し、その全体整備情報を、特定部１６から受け取った全体特徴情報「Ｆ００１」に対応する領域に重ねて表示する（ステップＳ１０７）。その結果、図１０で示されるように、コピー機の画像の上に、全体整備情報が表示されることになる。そして、ユーザは、この表示を見ながら、順次、処理を行うことによって、整備を行うことができる。
【００６１】
その整備において、ユーザが、整備対象であるコピー機の特定の部分について整備情報を知りたくなったとする。そして、ユーザが、タッチパネル上の「撮影」ボタンをタップしたとする。すると、整備情報表示装置１が撮影モードとなり、カメラの撮影画像がタッチパネルに表示されるようになる。そして、ユーザは、その表示を確認しながら、整備情報を知りたい部分がタッチパネルに表示された図１１で示される状態で、「撮影」ボタンを再度、タップすると、上述の説明と同様に、撮影画像の取得と蓄積が行われる（ステップＳ１０１〜Ｓ１０３）。なお、その撮影画像は、図１１で表示されている画像である。その後、ユーザが、「特定」ボタンをタップすると、上述の説明と同様に、特定の処理が行われる（ステップＳ１０４，Ｓ１０５）。この場合には、全体情報において、撮影画像と適合する全体特徴情報が存在しなかったとする（ステップＳ２０１〜Ｓ２０４）。すると、特定部１６は、図６で示される部分情報を参照し、１番目の部分特定情報「Ｐ００１」が、撮影画像と適合するかどうか判断する（ステップＳ２０６，Ｓ２０７）。この場合には、部分特定情報が図７（ａ）で示される「Ｐ００１」であり、撮影画像が図１１でタッチパネルに表示されているものであるため、特定部１６は、適合すると判断し、その部分特定情報「Ｐ００１」が含まれる部分情報を識別する部分ＩＤ「１」と、その部分特定情報の画像に対応する撮影画像における領域を示す情報とを表示部２１に渡す（ステップＳ２１０，Ｓ１０６）。すると、表示部２１は、部分ＩＤ「１」で識別される部分情報から部分整備情報を読み出し、その部分整備情報を、特定部１６から受け取った部分特定情報「Ｐ００１」に対応する領域に重ねて表示する（ステップＳ１０７）。その結果、図１２で示されるように、コピー機のある部分の画像の上に、部分整備情報が表示されることになる。そして、ユーザは、この表示を見ながら、その部分についての検査値が標準値とあっているかどうかを確認することなどによって、整備を行うことができる。このようにして、順次、整備対象であるコピー機の整備が行われていく。
【００６２】
その後、そのコピー機の整備がすべて終了したとする。そして、そのときに、タッチパネル上の「終了」ボタンをタップしたとする。すると、表示部２１は、整備ルート情報記憶部１９から整備対象識別情報の一覧を読み出して表示する。その一覧の表示において、ユーザが、「ＡＢＣ室コピー機」をタップしたとする。すると、受付部１３は、整備対象識別情報「ＡＢＣ室コピー機」で識別される整備対象に関する整備の終了を受け付けたと判断し、整備対象識別情報「ＡＢＣ室コピー機」と、整備の終了した旨とを表示部２１に渡す（ステップＳ１０８）。表示部２１は、整備の終了した旨等を受け取ると、整備ルート情報記憶部１９で記憶されている複数の整備ルート情報を参照し、受け取った整備対象識別情報「ＡＢＣ室コピー機」を含む整備ルート情報が存在するかどうか判断する。図８では、整備対象識別情報「ＡＢＣ室コピー機」を含む整備ルート情報（１番目のレコード）が存在するため、ルート情報が存在すると判断し（ステップＳ１０９）、そのルート情報Ｒ００１を読み出す。そして、表示部２１は、ルート情報Ｒ００１を読み出すと、そのルート情報Ｒ００１の示すルートに対応する地図の画像を地図情報記憶部１８から読み出し、その地図上に、ルート情報Ｒ００１に対応するルートの図形を表示した画像を、図１３で示されるように、タッチパネルに表示する（ステップＳ１１０）。ユーザは、この表示を見ることによって、次にどこに行けばよいのかを容易に知ることができるようになる。そして、その目的地に到着すると、そこにおいても、整備対象を撮影し、その整備対象に対応付けて表示された整備情報を見ることによって、適切な整備を行うことができるようになる。なお、ユーザが目的地に至るまで、図１３で示されるルート上に現在位置に応じた図形を表示することによってナビゲーションを行ってもよく、あるいは、ナビゲーションを行わないでルートの表示のみを行ってもよい。
【００６３】
なお、図１３では、ルート情報が地図上に表示される場合について説明したが、そうでなくてもよい。前述のように、ユーザがタッチパネルの反対側に存在するカメラの撮影画像をタッチパネルに表示させ、その表示上において、直感ナビ（登録商標）のように目的地までのルートの案内画像を表示してもよい。その場合には、表示部２１は、例えば、ルート情報と、現在位置取得部１７が取得した現在位置及び整備情報表示装置１の方向とを用いて、ルート情報の示すルート上の現在の地点を特定し、その特定した現在の地点から目的地に向かうルートに応じた方向を特定する。そして、撮影画像上に、その特定した方向に応じた文字列「前進」「右方向」「左方向」「反対を向く」「３階へ」や記号「→」「←」「↑」「↓」等を表示することによって、ユーザを目的地までナビゲートしてもよい。その場合には、例えば、図１４で示される表示がなされることになる。なお、特定した方向に応じた文字列や記号は、あらかじめ図示しない記録媒体で記憶されており、表示部２１は、特定した方向に応じた画像を読み出して撮影画像上に表示してもよい。その撮影画像と、特定した方向に応じた文字列や記号との表示は、目的地に着くまで行われることになる。
【００６４】
なお、この具体例では、全体整備情報や部分整備情報として、文字列の情報が表示される場合について説明したが、そうでなくてもよい。全体整備情報や部分整備情報が画像であり、その画像が整備対象の全体または部分の上に重ねて表示されてもよい。例えば、図１５で示されるように、コピー機のある部分に対応付けて、その内部構造を示す画像である部分整備情報が表示されてもよい。この表示を見ることによって、ユーザは、整備対象の内部構成等を知ることができ、それを参照しながら、適宜、整備を行うことができる。
【００６５】
また、この具体例では、全体情報と部分情報とが関係なく独立して用いられる場合について説明したが、前述のように、特定された全体特徴情報に対応する部分特定情報を用いて、全体の特定の後の部分の特定を行ってもよい。その場合には、例えば、図１６で示されるように、同じ整備対象に対応する、全体情報と部分情報とを対応付ける情報である親子関係情報が図示しない記録媒体（この記録媒体は、親子関係情報記憶部であってもよい）で記憶されており、特定部１６は、それを用いて、部分特定情報の特定を行ってもよい。図１６において、全体ＩＤと、部分ＩＤとが対応付けられている。全体ＩＤは、全体情報を識別するものであり、部分ＩＤは、部分情報を識別するものである。この親子関係情報によって、同じ整備対象についての全体情報と、部分情報とが対応付けられることになる。なお、通常、親子関係情報において、全体ＩＤと部分ＩＤとは一対多の関係となるが、例えば、全体情報記憶部１１において、全体特徴情報と全体整備情報とが多対一の関係である場合には、親子関係情報において、全体ＩＤと部分ＩＤとは多対多の関係となってもよい。また、親子関係情報は、少なくとも、同じ整備対象に対応する、全体特徴情報と部分特定情報とを対応付ける情報であれば、その他の形式の情報であってもよい。この親子関係情報が存在する場合には、例えば、全体ＩＤ「１」で識別される全体情報に含まれる全体特徴情報が特定された後の特定の処理において、撮影画像が各全体特徴情報と適合しなかった場合（ステップＳ２０４の「Ｎ」の場合）には、特定部１６は、図１７で示される親子関係情報を参照し、直前に特定された全体特徴情報を含む全体情報に対応する全体ＩＤ「１」に対応する部分ＩＤ「１」「２」「３」「４」…を読み出し、その部分ＩＤ「１」「２」「３」「４」…に対応する部分情報のみを用いて、部分特定情報の特定を行うようにしてもよい。このようにすることで、前述のように、異なる整備対象に似た部分が存在する場合であっても、その部分特定情報の特定時の誤判断を少なくすることができる。なお、取得された撮影画像に対して、全体特徴情報が適合するまでは、直前に特定された全体特徴情報に対応する部分特定情報を用いて、撮影画像に適合する部分特定情報の特定を行ってもよい。また、親子関係情報は、結果として、同じ整備対象の全体と部分との親子関係を示すことができるのであれば、その他の情報であってもよい。例えば、親子関係情報は、同じ整備対象に対応する、全体特徴情報と部分特定情報とを対応付ける情報であってもよい。
【００６６】
また、この具体例では、「撮影」ボタンのタップに応じて撮影がなされる場合について説明したが、前述のように、連続して撮影が行われ、その最新の撮影画像に対して、全体特徴情報等の特定が連続して行われてもよい。
【００６７】
以上のように、本実施の形態による整備情報表示装置１によれば、整備対象に対して、全体整備情報を表示することができ、整備対象の部分に対して、部分整備情報を表示することができる。その結果、整備対象の細かい部分についても、詳細な整備の情報を表示することができるようになり、整備対象の整備を適切に支援することができるようになる。また、整備対象の位置に関するナビゲーションを行うことができることにより、整備業務そのものの支援をも行うことができるようになる。
【００６８】
なお、本実施の形態において、部分特定情報は、整備対象の全体における領域を示す情報であってもよい。すなわち、整備対象の全体における一部の領域を示す情報が１個の部分特定情報であってもよい。例えば、図１７で示されるように、整備対象であるコピー機の全体が、６個の領域に分けられており、各領域を示す情報が、部分特定情報となっていてもよい。その部分特定情報は、例えば、整備対象の全体の画像（例えば、全体特徴情報であってもよい）における領域の輪郭を示す情報（例えば、領域の輪郭を示す複数の座標からなる情報等）であってもよい。部分情報における部分特定情報は、例えば、図１８で示されるように、全体特徴情報と、領域情報とを有していてもよい。ここで、全体特徴情報は、例えば、整備対象の全体の画像を識別する情報である。そして、領域情報は、その整備対象の全体の画像における領域を示す情報である。例えば、領域情報Ｒ００１は、図１７における領域１を示す情報であり、領域情報Ｒ００２は、図１７における領域２を示す情報であってもよい。また、その部分特定情報を用いた特定を行う場合には、表示部２１は、撮影部１４が撮影した撮影画像を表示するものであるとする。また、受付部１３は、拡大・縮小の指示も受け付けるものであるとする。その拡大・縮小は、撮影部１４が撮影する撮影画像の拡大・縮小であってもよく、あるいは、表示部２１が表示している撮影画像の拡大・縮小であってもよい。いずれの場合であっても、結果として、表示部２１が表示する撮影画像は、受付部１３が受け付けた拡大・縮小の指示に応じてズームイン・ズームアウトが行われることになる。そして、特定部１６は、撮影画像と適合する全体特徴情報を特定した後に、その全体特徴情報に適合する部分の一部にズームインされた場合に、そのズームインされた領域を示す部分特定情報を特定してもよい。例えば、図９で示されるように整備対象であるコピー機の全体が表示されており、その後に、撮影または表示の拡大が行われることによって、図１１で示されるように、図１７の領域１の部分にズームインが行われたとする。その場合には、特定部１６は、まず、全体特徴情報「Ｆ００１」の特定を行う（その際に、前述の具体例のように、その全体特徴情報に応じた全体整備情報が表示されてもよい）。その後に、特定部１６は、ズームインされた全体特徴情報「Ｆ００１」における領域を特定し、その領域と重複の割合が大きい、その全体特徴情報「Ｆ００１」を有する部分特定情報に含まれる領域情報を特定する。ズームインされた全体特徴情報「Ｆ００１」における領域の特定は、例えば、ズームイン後の画像と、整備対象の全体の画像とのパターンマッチングを行うことによって行われてもよく、整備対象の全体の画像における特徴点をズームイン時に追跡することによって行われてもよく、あるいは、その他の方法によって行われてもよい。この場合には、領域情報Ｒ００１が重複の割合が最も大きかったとする。すると、特定部１６は、その領域情報Ｒ００１を含む部分特定情報を特定する。その結果、その部分特定情報に対応する部分整備情報が、図１２で示されるように表示されることになる。
【００６９】
また、本実施の形態において、全体整備情報や部分整備情報は、前述のように、３次元コンピュータグラフィックスの情報であってもよい。その場合の処理について、簡単に説明する。例えば、全体整備情報が３次元コンピュータグラフィックスの情報であるとする。その全体整備情報は、３次元のモデリングされた情報であってもよい。そして、例えば、ユーザは、まず整備対象の正面の画像を図１９（ａ）で示されるように撮影する。そして、その撮影画像を用いて、全体特徴情報の特定を行う。また、その撮影時の整備情報表示装置１の向きを基準として、現在位置取得部１７等が有する三次元方位センサ等を用いて、整備情報表示装置１の向きを算出する。その後、例えば、図１９（ｂ）で示される撮影画像を撮影すると、三次元方位センサ等は、その時点の整備情報表示装置１の基準からの向きを算出する。そして、表示部２１は、その向きを視線方向として、全体整備情報のモデルをレンダリングすることによって、図１９（ｃ）で示される２次元の画像を取得する。その後、表示部２１は、図１９（ｂ）で示される撮影画像と、図１９（ｃ）で示される、レンダリング後の全体整備情報とを重ねて表示することにより、図１９（ｄ）で示される表示を行う。このようにして、３次元の内部構造を整備対象に重ねて表示することができる。この場合には、図１９（ｄ）で示されるように、撮影画像と、全体整備情報との両方について、背面側も透過するように表示してもよい。または、図１２や図１５のように、レンダリング後の画像を前面側に表示し、撮影画像を背面側に表示するようにしてもよい。また、部分整備情報が３次元コンピュータグラフィックスの情報である場合にも、同様にして、３次元の表示を行うことができる。
【００７０】
また、本実施の形態では、整備情報表示装置１が現在位置取得部１７や地図情報記憶部１８を備える場合について説明したが、そうでなくてもよい。例えば、直感ナビ（登録商標）のように、地図情報を表示しないでナビゲーションを行う場合には、整備情報表示装置１が地図情報記憶部１８を備えていなくてもよい。また、現在位置を用いたナビゲーションを行わず、図１３で示されるように、単にルートのみを示す場合には、整備情報表示装置１は現在位置取得部１７を備えていなくてもよい。
【００７１】
また、本実施の形態では、ルート情報に関する表示をも行う場合について説明したが、そうでなくてもよい。ルート情報に関する表示を行わない場合には、整備情報表示装置１は、現在位置取得部１７や、地図情報記憶部１８、整備ルート情報記憶部１９を備えていなくてもよい。
【００７２】
また、本実施の形態では、全体整備情報や部分整備情報を、その全体整備情報に対応する撮影画像の部分や、その部分整備情報に対応する撮影画像の部分に対応付けて表示する場合について主に説明したが、そうでなくてもよい。表示部２１は、撮影情報の対応する部分とは関係なく全体整備情報や部分整備情報を表示してもよい。
【００７３】
また、上記実施の形態において、各処理または各機能は、単一の装置または単一のシステムによって集中処理されることによって実現されてもよく、あるいは、複数の装置または複数のシステムによって分散処理されることによって実現されてもよい。例えば、全体情報記憶部１１、部分情報記憶部１２、特定部１６とはサーバに存在し、それら以外の構成要素はクライアントに存在し、そのサーバ・クライアント間での通信を行いながら、上記実施の形態で説明したような整備情報の表示が行われてもよい。
【００７４】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、あるいは、その情報の受け渡しを行う２個の構成要素が物理的に同じものである場合には、一方の構成要素に対応する処理のフェーズから、他方の構成要素に対応する処理のフェーズに移ることによって行われてもよい。
【００７５】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【００７６】
また、上記実施の形態において、各構成要素等で用いられる情報、例えば、各構成要素が処理で用いるしきい値やアドレス、各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【００７７】
また、上記実施の形態において、整備情報表示装置１に含まれる２以上の構成要素が通信デバイスや入力デバイス等を有する場合に、２以上の構成要素が物理的に単一のデバイスを有してもよく、あるいは、別々のデバイスを有してもよい。
【００７８】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における整備情報表示装置１を実現するソフトウェアは、以下のようなプログラムである。つまり、このプログラムは、整備対象の全体に関する特徴の情報である全体特徴情報と、整備対象の整備に関する情報である全体整備情報とを有する全体情報が１以上記憶される全体情報記憶部と、整備対象の部分を特定する部分特定情報と、整備対象の部分の整備に関する情報である部分整備情報とを有する部分情報が１以上の記憶される部分情報記憶部とにアクセス可能なコンピュータを、撮影の指示を受け付ける受付部、受付部が受け付けた撮影の指示に応じて撮影を行い、撮影画像を取得する撮影部が取得した撮影画像と適合する全体特徴情報、または、撮影部が取得した撮影画像と適合する部分特定情報を特定する特定部、特定部が全体特徴情報を特定した場合には、全体特徴情報に対応する全体整備情報を表示し、特定部が部分特定情報を特定した場合には、部分特定情報に対応する部分整備情報を表示する表示部として機能させるためのプログラムである。
【００７９】
なお、上記プログラムにおいて、上記プログラムが実現する機能には、ハードウェアでしか実現できない機能は含まれない。例えば、情報を受け付ける受付部や、情報を表示する表示部などにおける入力デバイスや表示デバイスなどのハードウェアでしか実現できない機能は、上記プログラムが実現する機能には少なくとも含まれない。
【００８０】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【００８１】
また、このプログラムを実行するコンピュータは、単数であってもよく、複数であってもよい。すなわち、集中処理を行ってもよく、あるいは分散処理を行ってもよい。
【００８２】
図２０は、上記プログラムを実行して、上記実施の形態による整備情報表示装置１を実現するコンピュータの外観の一例を示す模式図である。上記実施の形態は、コンピュータハードウェア及びその上で実行されるコンピュータプログラムによって実現されうる。
【００８３】
図２０において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【００８４】
図２１は、コンピュータシステム９００の内部構成を示す図である。図２１において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮやＷＡＮ等への接続を提供する図示しないネットワークカードを含んでいてもよい。
【００８５】
コンピュータシステム９００に、上記実施の形態による整備情報表示装置１の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【００８６】
プログラムは、コンピュータ９０１に、上記実施の形態による整備情報表示装置１の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【００８７】
また、本発明は、以上の実施の形態に限定されることなく、種々の変更が可能であり、それらも本発明の範囲内に包含されるものであることは言うまでもない。
【産業上の利用可能性】
【００８８】
以上より、本発明による整備情報表示装置等によれば、整備対象の全体についても、また部分についても整備の情報を表示できるという効果が得られ、例えば、整備情報を表示する装置等として有用である。
【符号の説明】
【００８９】
１  整備情報表示装置
１１  全体情報記憶部
１２  部分情報記憶部
１３  受付部
１４  撮影部
１５  撮影画像記憶部
１６  特定部
１７  現在位置取得部
１８  地図情報記憶部
１９  整備ルート情報記憶部
２１  表示部
【図１】
0005634925.tif 000002
【図２】
0005634925.tif 000003
【図３】
0005634925.tif 000004
【図４】
0005634925.tif 000005
【図５】
0005634925.tif 000006
【図６】
0005634925.tif 000007
【図７】
0005634925.tif 000008
【図８】
0005634925.tif 000009
【図９】
0005634925.tif 000010
【図１０】
0005634925.tif 000011
【図１１】
0005634925.tif 000012
【図１２】
0005634925.tif 000013
【図１３】
0005634925.tif 000014
【図１４】
0005634925.tif 000015
【図１５】
0005634925.tif 000016
【図１６】
0005634925.tif 000017
【図１７】
0005634925.tif 000018
【図１８】
0005634925.tif 000019
【図１９】
0005634925.tif 000020
【図２０】
0005634925.tif 000021
【図２１】
0005634925.tif 000022